(57)【要約】    【課題】ＲＦＩＤインレットを用いた簡単な構成で通信距離を伸ばすことが可能な情報記録担体および情報記録担体の作製方法を提供する。【解決手段】複数の段部５ａ、５ｂ、５ｃが階段状に形成された基材２と、基材の表面を覆うとともに、反射用アンテナ９、受信用アンテナ１０、導波用アンテナ１１、および受信アンテナに接続され受信アンテナを介して情報の書込みおよび読込みが行われるＩＣチップを備えたＲＦＩＤインレットと、基材に被覆されたＲＦＩＤインレットの、さらに表面を被覆する保護部材４と、を備え、基材の表面をＲＦＩＤインレットで覆う際、基材の底面部側の段部より順に、反射用アンテナ、受信用アンテナ、導波用アンテナが配されるよう階段状の基材の形状に沿って敷設することを特徴とする。【選択図】  図２
2008198095.tif 000002
【特許請求の範囲】
【請求項１】
矩形状の底面部を備え高さ方向に複数の段部が階段状に形成された基材と、
前記基材の表面を覆うとともに、反射用アンテナ、受信用アンテナ、導波用アンテナ、および前記受信アンテナに接続され前記受信アンテナを介して情報の書込みおよび読込みが行われるＩＣチップを備えたＲＦＩＤインレットと、
前記基材に被覆された前記ＲＦＩＤインレットの、さらに表面を被覆する保護部材と、を備え、
前記基材の表面をＲＦＩＤインレットで覆う際、前記基材の底面部側の段部より順に、前記反射用アンテナ、その上の段部に受信用アンテナ、さらにその上の段部に導波用アンテナが配されるよう階段状の前記基材の形状に沿って敷設することを特徴とする情報記録担体。
【請求項２】
前記基材は、前記底面部側より上部の段部ほど中心部に向けて面積を減少した切頭状、かつ、階段状のピラミッド形状を呈することを特徴とする請求項１に記載の情報記録担体。
【請求項３】
前記基材は、段部が一側面に向けて階段状に形成されることを特徴とする請求項１および２に記載の情報記録担体。
【請求項４】
前記段部と段部の間の高さ方向における段差は等間隔であることを特徴とする請求項１ないし３に記載の情報記録担体。
【請求項５】
矩形状のシート基材の周縁部側に反射用アンテナを配し、前記反射用アンテナの内側に受信用アンテナ、および前記受信用アンテナのさらに内側に導波用アンテナを順次配し、かつ、前記各アンテナ間を接続部材で結ぶとともに、前記各アンテナを介して情報の書込みおよび読込みが可能なＩＣチップを備えたＲＦＩＤインレットを作製するＲＦＩＤ作製ステップと、
矩形状の底面部を備え高さ方向に複数の段部を、段部間の高さ方向における段差が等間隔となるよう階段状に形成するとともに、上部の段部ほど面積を減少した階段状を呈する基材を作製する基材作製ステップと、
前記基材の表面を前記ＲＦＩＤインレットにて覆うとともに、前記基材の最下段の段部に前記反射用アンテナ、中段の段部に受信用アンテナ、および最上段の段部に導波用アンテナを配するよう前記階段状の形状に沿わせて前記ＲＦＩＤインレットを成形する成形ステップと、
前記基材の表面に被覆されたＲＦＩＤインレットの、さらに表面を保護部材にて被覆する保護層作製ステップと、から成ることを特徴とする情報記録担体の作製方法。
【請求項６】
前記各段部周縁部の一部に、前記ＩＣチップおよび接続部材の退避用の切欠き部が形成されることを特徴とする請求項５に記載の情報記録担体の作製方法。
【請求項７】
前記接続部材は、ダイポールの役目を果たすことを特徴とする請求項５および６に記載の情報記録担体の作製方法。
【発明の詳細な説明】
【技術分野】
【０００１】
本発明は、通信距離が短い従来のＲＦＩＤが内蔵された情報記録担体の不具合を克服し、通信距離を伸ばすことが可能な情報記録担体および情報記録担体の作製方法に関する。
【背景技術】
【０００２】
従来、内蔵されたＲＦＩＤ（Ｒａｄｉｏ  Ｆｒｅｑｕｅｎｃｙ−Ｉｄｅｎｔｉｆｉｃａｔｉｏｎ）の通信距離を伸ばすよう工夫したＲＦＩＤタグ（情報記録担体）が知られている（例えば、特許文献１参照）。
特許文献１のＲＦＩＤタグによれば、静電体からなる板状の第１ベース、およびこの第１ベースの表裏面のうち第１面を覆う金属層を有する第１部品と、シート状の第２ベース、およびこの第２ベース上に設けられた、前記第１部品の金属層と電気的に接続されて通信アンテナを構成する金属パターン、この金属パターンに接続された、その通信アンテナを介して無線通信を行う回路チップ、並びに前記第２ベースを前記第１ベースの第１面に対し第２面に接着させるための粘着剤層有した第２部品とを備え、前記第１部品と第２部品とを張り合わせて構成している。
しかしながら、前記ＲＦＩＤタグは、第１部品と第２部品を各々作製して張り合わせるなど、ＲＦＩＤインレットを用いた従来のものとは思想的に異なるため、作製するための工程そのものを大幅に変更する必要があり、導入費用が膨らむと言う問題があり、従来のＲＦＩＤインレットを用いた思想の延長上で通信距離を伸ばせるようなＲＦＩＤタグ（情報記録担体）の開発が望まれた。
【特許文献１】特開２００６−３０１６９０号公報
【発明の開示】
【発明が解決しようとする課題】
【０００３】
本発明は、上記の問題点に着目してなされたものであり、ＲＦＩＤインレットを用いた簡単な構成で通信距離を伸ばすことが可能な情報記録担体および情報記録担体の作製方法を提供することを目的とする。
【課題を解決するための手段】
【０００４】
本発明に係る情報記録担体は、矩形状の底面部を備え高さ方向に複数の段部が階段状に形成された基材と、前記基材の表面を覆うとともに、反射用アンテナ、受信用アンテナ、導波用アンテナ、および前記受信アンテナに接続され前記受信アンテナを介して情報の書込みおよび読込みが行われるＩＣチップを備えたＲＦＩＤインレットと、前記基材に被覆された前記ＲＦＩＤインレットの、さらに表面を被覆する保護部材と、を備え、前記基材の表面をＲＦＩＤインレットで覆う際、前記基材の底面部側の段部より順に、前記反射用アンテナ、その上の段部に受信用アンテナ、さらにその上の段部に導波用アンテナが配されるよう階段状の前記基材の形状に沿って敷設することを特徴とする。
また、基材は、底面部側より上部の段部ほど中心部に向けて面積を減少した切頭状、かつ、階段状のピラミッド形状を呈するようにできる。
また、基材は、段部が一側面に向けて階段状に形成されるようにできる。
また、段部と段部の間の高さ方向における段差は等間隔であるようにできる。
さらに、第２の発明に係る情報記録担体の作製方法は、矩形状のシート基材の周縁部側に反射用アンテナを配し、前記反射用アンテナの内側に受信用アンテナ、および前記受信用アンテナのさらに内側に導波用アンテナを順次配し、かつ、前記各アンテナ間を接続部材で結ぶとともに、前記各アンテナを介して情報の書込みおよび読込みが可能なＩＣチップを備えたＲＦＩＤインレットを作製するＲＦＩＤ作製ステップと、矩形状の底面部を備え高さ方向に複数の段部を、段部間の高さ方向における段差が等間隔となるよう階段状に形成するとともに、上部の段部ほど面積を減少した階段状を呈する基材を作製する基材作製ステップと、前記基材の表面を前記ＲＦＩＤインレットにて覆うとともに、前記基材の最下段の段部に前記反射用アンテナ、中段の段部に受信用アンテナ、および最上段の段部に導波用アンテナを配するよう前記階段状の形状に沿わせて前記ＲＦＩＤインレットを成形する成形ステップと、前記基材の表面に被覆されたＲＦＩＤインレットの、さらに表面を保護部材にて被覆する保護層作製ステップと、から成ることを特徴とする。
また、各段部周縁部の一部に、ＩＣチップおよび接続部材の退避用の切欠き部を形成するようにできる。
また、接続部材は、ダイポールの役目を果たすようにできる。
【発明の効果】
【０００５】
発明に係る情報記録担体は、高さ方向に複数の段部が階段状に形成された基材に対し、基材の表面をＲＦＩＤインレットで覆う際、基材の底面部側の段部より上の段部に向け順に、反射用アンテナ、受信用アンテナ、導波用アンテナが配されるよう階段状の基材の形状に沿って敷設し、厚み方向（高さ方向）に表面側から導波用アンテナ、受信用アンテナおよび反射用アンテナの順で配するので、先ず表面近辺に設けられた導波用アンテナで電波を受けて受信アンテナを共振させ、また、次の段部に設けられた受信アンテナで受信できなかった場合は、最下段に設けられた反射用アンテナが受信して受信アンテナを共振するため電波が有効に作用し、以て高さ方向における読取り・書込みの通信距離が伸びるという効果がある。
また、基材を、底面部側より上部の段部ほど中心部に向けて面積を減少した切頭状、かつ、階段状のピラミッド形状を呈するようにすれば、環状のアンテナを階段状に配することが可能となる。
また、基材を、段部が一側面に向けて階段状に形成すれば、幅方向で直線状のＵＨＦ帯のアンテナを階段状に配することができる。
また、段部と段部の間の高さ方向における段差を等間隔し、位相の強め合う距離とすれば、共振がより強力となる。
さらに、第２の発明に係る情報記録担体の作製方法は、反射用アンテナ、受信用アンテナ、および導波用アンテナを順次配し、かつ、アンテナ間を接続部材で結ぶとともに、各アンテナを介して情報の書込みおよび読込みが可能なＩＣチップを備えたＲＦＩＤインレットを作製するＲＦＩＤ作製ステップと、段部間の高さ方向における段差が等間隔となるよう階段状に形成するとともに、上部の段部ほど面積を減少した階段状を呈する基材を作製する基材作製ステップと、基材の表面をＲＦＩＤインレットにて覆うとともに、異なった段部に反射用アンテナ、受信用アンテナおよび導波部を配するよう階段状の形状に沿わせてＲＦＩＤインレットを成形する成形ステップと、基材の表面に被覆されたＲＦＩＤインレットの、さらに表面を保護部材にて被覆する保護層作製ステップと、を設けたので、ＲＦＩＤインレットを用いて高さ方向における通信距離を伸ばせる情報記録担体の作製が可能である。
また、各段部周縁部の一部に、ＩＣチップおよび接続部材の退避用の切欠き部を形成すれば基材と、ＩＣチップ、および接続部材などが切欠き部に退避され、表面に出っ張ることもなく、かつ、ＩＣチップなどが圧力により壊れることから回避される。
また、接続部材をダイポール役目を果たすようにすれば、共振の伝達がより確実となる。
【発明を実施するための最良の形態】
【０００６】
以下、本発明の一実施の形態による情報記録担体を図１ないし図４に基づき説明する。
図１は、情報記録担体の平面図であり、図２は、図１中、矢示ＩＩ−ＩＩ線に沿う概略断面図、図３は、基材の概略斜視図、図４は、ＲＦＩＤインレットの概略斜視図である。
同図に示すように、情報記録担体１は、主に、基材２と、ＲＦＩＤインレット３と、保護部材４と、より構成される。
【０００７】
基材２は、主に、図３に示すように、切頭状で、かつ、複数段の段部５ａ、５ｂ、５ｃが形成されるとともに、高さ方向（厚み方向）Ｈの上部ほど中心部に向けて平面の面積が減少した階段状のピラミッド形状（本実施の形態では三層）を呈している。
また、段部５ａと段部５ｂの間、および段部５ｂと段部５ｃの間の段差ｈは、各々等間隔となっている（図２参照）。
なお、基材２の材質としては、例えば、成型が容易な合成樹脂の採用が可能である。
【０００８】
また、主に、図４に基づき、ＲＦＩＤインレット３を説明する。
ＲＦＩＤインレット３は、複数本の環状のアンテナ６（本実施の形態では三本）、および各種の情報を蓄積するためのＩＣチップ７を備えており、前記アンテナ６およびＩＣチップ７は、ともに樹脂フィルムなどで作製された矩形状のシート基材８上に設けられて成り、かつ、シート基材８の裏面（図４における裏面）側は図示省略の粘着剤層が形成されており、この粘着剤層（図示省略）を介して前記基材２上に貼り付けられるようになっている。
アンテナ６は、シート基材８の周縁部、すなわち、一番外側に反射用アンテナ９が配され、その内側には受信用アンテナ１０が、さらに受信用アンテナ１０の内側には導波用アンテナ１１が、各々配された三重の環状となっている。このようにアンテナ６を三重の環状とし、周縁部の反射用アンテナ９より内側に向け受信用アンテナ１０、および導波用アンテナ１１を配することにより、反射用アンテナ９が一番長く、次いで受信用アンテナ１０、そして一番内側の導波用アンテナ１１が一番短い長さとなる。
なお、前記ＩＣチップ７は、受信用アンテナ１０に接続され、受信アンテナ１０を介して情報の書込みおよび読込みが行われるようになっている。
【０００９】
保護部材４は、前記シート基材８の図示省略の粘着剤層を介して基材２の表面に貼り付けた前記ＲＦＩＤインレット３のアンテナ６、およびＩＣチップ７を保護する役目を果たすものであり、ＲＦＩＤインレット３の、さらに表面を封止樹脂にてポッティングして封止するものである。
【００１０】
次に、図１ないし図４を使用して、情報記録担体１の作製方法を説明する。
先ず、合成樹脂を成型して複数段の段部５ａ、５ｂ、５ｃを備える階段状のピラミッド形状を呈する基材２を作製する（基材作製ステップ：図３参照）。
【００１１】
次に、図４のＲＦＩＤインレット３を作製する。シート基材８の上に、印刷あるいは蒸着またはエッチング方式など既知の技術を用いてアンテナ６、より具体的には、反射用アンテナ９、受信用アンテナ１０および導波用アンテナ１１を配し、かつ、受信用アンテナ１０にＩＣチップ７を接続する。そして、前記アンテナ７およびＩＣチップを配した面を表面とした場合の裏面に図示省略の粘着材を塗布して粘着剤層（図示省略）を形成する（ＲＦＩＤインレット作製ステップ）。
【００１２】
次に、前記基材２の表面にＲＦＩＤインレット３を載せ、基材２の表面に形成されたピラミッド形状の段部５ａ、５ｂ、５ｃに沿わせてスポンジやゴム、合成樹脂などの図示省略のローラを用いて押し付けるものであり、基材２の最下段の段部５ａに前記ＲＦＩＤインレット３の反射用アンテナ９が、また、中段の段部５ｂに受信用アンテナ１０が、そして、最上段の切頭状の段部５ｃに導波用アンテナ１１が、各々配置されて階段状のピラミッド形状を呈する基材２の表面の形状に形作られて敷設される（成形ステップ）。
【００１３】
次いで、基材２の表面に被覆されたＲＦＩＤインレット３の、さらに表面に図示省略の封止樹脂を注入しポッティングして封止することにより保護部材４を形成し（保護層作製ステップ）、情報記録担体１を作製するものである。
さらに、上記の作製方法で作製された情報記録担体１は、別途図示省略のＲＦＩＤ書込み装置にて所望の情報を書込むようになっている。
なお、情報が書込まれた情報記録担体１は、アンテナ６およびＩＣチップ７に干渉しない部分に図示省略の糸などを通して「ＲＦＩＤタグ」として用いるか、あるいは、基材２の裏面に図示省略の粘着剤を塗布した粘着剤層（図示省略）を形成し、この粘着剤層を介して被貼付物１２（図２参照）に貼り付けて「ＲＦＩＤラベル」として使用することができる。
【００１４】
上述したように、反射用アンテナ９、受信用アンテナ１０および導波用アンテナ１１を備えたＲＦＩＤインレット３にて基材２の表面を覆うとともに、等間隔の段差ｈで隔てられた段部のうち、最下部の段部５ａに反射用アンテナ９、中段の段部５ｂに受信用アンテナ１０、そして、最上段の段部５ｃに導波用アンテナ１１が、各々敷設されるよう階段状のピラミッド形状に沿って形作られることにより、情報記録媒体１表面の保護層４側から導波用アンテナ１１、受信用アンテナ１０、および反射用アンテナ９の順で厚み方向（高さ方向）Ｈに段差ｈの距離分、等間隔に隔たれた状態で配され、あたかも八木アンテナ（登録商標）のような配置を呈し、図示省略のＲＦＩＤ書込み装置よりの電波（図２矢示Ｆ方向）を受けると導波用アンテナ１１において受けた電波が共振して受信用アンテナ１０に伝わるとともに、導波用アンテナ１１にて受信できなかった電波はＩＣチップ７に接続された次の受信用アンテナ１０で受信でき、さらに、前記導波用アンテナ１１、および受信用アンテナ１０で受信できずに通り過ぎたき電波は最下位の段部５ａに配される反射用アンテナ９にて受信され共振した電波を受信用アンテナ１０に伝えるため、同一平面に「アンテナ」を配した従来の「情報記録担体」に比し、電波が有効に作用するので高さ方向（厚み方向）Ｈにおける読取り・書込みの通信距離が伸びるものである。
また、段差ｈは、段部５ａ、５ｂ、５ｃに配したアンテナ６の２本のアンテナ間を、使用するＲＦＩＤ書込み装置（図示省略）の電波の１／４波長とすることが望ましい。
なお、シート基材８のアンテナ６およびＩＣチップ７を配した表面を、他のシート基材８にて覆い、サンドイッチ状にしてアンテナ６やＩＣチップ７を保護するようにしてもよい。
【００１５】
次に、図５および図６に基づき、他の実施の形態につき説明する。
なお、以下において、先の実施の形態と同様の部分は同一符号を付するに止め、詳説を省略する。
図５は、基材１５の概略斜視図、図６は、ＲＦＩＤインレット１７の概略斜視図である。
図５に示すように基材１５は、前記基材２と同様、三層の段部５ａ、５ｂ、５ｃが形成されるとともに、高さ方向Ｈの上部ほど中心部に向けて平面の面積が減少した階段状のピラミッド形状を呈しており、かつ、各段部５ａ、５ｂ、５ｃの周縁部の一部には、アンテナ６や後述する接続部材などを収納するための切欠き部１６が形成されている。なお、段部５ａと段部５ｂの間、および段部５ｂと段部５ｃの間の段差ｈは、各々等間隔となっている。
次に、図６に基づき、ＲＦＩＤインレット１７につき説明すると、ＲＦＩＤインレット１７は、シート基材８の周縁部、すなわち、一番外側に反射用アンテナ９、その内側にはＩＣチップ７が接続された受信用アンテナ１０、さらに受信用アンテナ１０の内側には導波用アンテナ１１が、各々配された三重の環状のアンテナ６となっており、かつ、接続部材１８が備えられている。接続部材１８は、前記反射用アンテナ９、受信用アンテナ１０および導波用アンテナ１１間を接続して前記各アンテナ１１、１０、９間の共振が伝わり易いように設けた「ダイポール」としての役目を果たすようになっている。なお、各アンテナ１１、１０、９、およびＩＣチップ７は、先の実施の形態とは異なり、図６における裏面に設けられており、アンテナ６およびＩＣチップ７などが配された面に図示省略の粘着剤を塗布して基材１５に貼り付けるようになっている。すなわち、図５の基材１５の表面に対し、接続部材１８、アンテナ６およびＩＣチップ７が出っ張った側を対峙させて載せ、図示省略のローラにて基材１５の表面に押し付けて貼り付けるものであり、出っ張ったＩＣチップ７および接続部材１８は、基材１５の周縁部の一部に形成された前記切欠き部１６に退避・収納され、基材１５と干渉しないようになっている。
上述したようにして作製された「情報記録担体」を被貼付物１２に貼り付けると、先の実施の形態と同様、高さ方向（厚み方向）Ｈに配された導波用アンテナ１１、および反射用アンテナ９の共振に加え、導波用アンテナ１１、受信用アンテナ１０および反射用アンテナ９のアンテナ６を接続する接続部材１８が共振伝達の補助的役割を果たすため、高さ方向（厚み方向）Ｈにおける通信距離が、より伸びるものである。
また、ＲＦＩＤインレット１７のシート基材８に配した接続部材１８、アンテナ６およびＩＣチップ７側を表面とした場合、表面側を基材１５に載せて図示省略のローラにて階段状のピラミッド形状の基材１５の形状に合わせて形作る際（成形ステップ）、出っ張った前記接続部材１８およびＩＣチップ７は切欠き部１６に収納されるため基材１５と干渉せず、従ってシート基材８側に出っ張ることがないばかりか、各段部５ａ、５ｂ、５ｃの辺部（角部）で接続部材１８が不要に折り曲げられることがないので断線しにくく、かつ、次ステップの保護層作製ステップにて封止樹脂を注入した際、シート基材８がアンテナ６やＩＣチップ７を保護するので、熱などの影響を受けにくいものである。
その他の構成、作用、効果については、先の実施の形態とほぼ同様につき詳説を省略する。
【００１６】
次に、図７および図８に基づき、他の実施の形態につき説明する。
なお、以下において、先の実施の形態と同様の部分は同一符号を付するに止め、詳説を省略する。
図７は、基材２０の概略斜視図、図８は、ＲＦＩＤインレット２３の概略斜視図である。
基材２０は、複数の段部２１ａ、２１ｂ、２１ｃが形成されており、最下段の段部２１ａより周縁部の一辺２２に向けて高さ方向（厚み方向）Ｈに昇りの階段状を呈している。また、段部２１ａと中段の段部２１ｂの間、および段部２１ｂと最上段の段部２１ｃの間の段差ｈは、各々等間隔となっている。
次に、図８に基づきＲＦＩＤインレット２３を説明する。
先の実施の形態では環状の、いわゆる低周波帯に用いるアンテナ６を用いたが、本実施の形態では、ＵＨＦ帯に対応した短い直線状のアンテナを用いた例で説明する。
このＲＦＩＤインレット２３では、シート基材８幅方向Ｗに複数の直線状のアンテナ２４が配されており、このアンテナ２４は、一辺部側に長さが一番短い導波用アンテナ２５を配し、真ん中にＩＣチップ７が接続された中くらいの長さの受信用アンテナ２６、そして、他辺部側に一番長い反射用アンテナ２７を配する。
上記基材２０に対しＲＦＩＤインレット２３を載せる際、最上段の段部２１ｃに導波用アンテナ２５が、また、最下段の段部２１ａに反射用アンテナ２７が、そして、真ん中の段部２１ｂに受信用アンテナ２６が、各々対峙するように載せ、階段状の基材の形状に形作るものであり（成形ステップ）、表面側である最上段の段部２１ｃから高さ方向（厚み方向）Ｈの最下段の段部２１ａに向け順に、導波用アンテナ２５、受信用アンテナ２６、そして反射用アンテナ２７が配され、受信アンテナ２６で受信できなかった電波が導波用アンテナ２５、および反射アンテナ２７の共振により受信アンテナ２６に伝わるため、平面に「アンテナ」を配した従来の「情報記録担体」に比し、電波が有効に作用するので高さ方向Ｈにおける読取り・書込みの通信距離が伸びるものである。
なお、図示しないが上記導波用アンテナ２５、受信用アンテナ２６および反射用アンテナ２７間を、先の実施の形態の接続部材１８を用いて接続することも可能である。
その他の構成、作用、効果については、先の実施の形態とほぼ同様につき詳説を省略する。
【００１７】
なお、上記実施の形態の構成及び動作は例であって、本発明の趣旨を逸脱しない範囲で適宜変更することができることは言うまでもない。
【図面の簡単な説明】
【００１８】
【図１】本発明に係る情報記録担体の第１の実施の形態を示す平面図である。
【図２】同、図１中、矢示ＩＩ−ＩＩ線に沿う概略断面図である。
【図３】同、基材の概略斜視図である。
【図４】同、ＲＦＩＤインレットの概略斜視図である。
【図５】本発明に係る第２の情報記録担体で用いる基材の概略斜視図である。
【図６】同、ＲＦＩＤインレットの概略斜視図である。
【図７】本発明に係る第３の情報記録担体で用いる基材の概略斜視図である。
【図８】同、ＲＦＩＤインレットの概略斜視図である。
【符号の説明】
【００１９】
Ｈ    高さ方向（厚み方向）
ｈ    段差
１    情報記録担体
２    基材
３    ＲＦＩＤインレット
４    保護部材
５ａ、５ｂ、５ｃ    段差
６    アンテナ
７    ＩＣチップ
８    シート基材
９    反射用アンテナ
１０  受信用アンテナ
１１  導波用アンテナ
１２  被貼付物
１５  基材
１６  切欠き部
１７  ＲＦＩＤインレット
１８  接続部材
２０  基材
２１ａ、２１ｂ、２１ｃ  段差
２２  一辺
２３  ＲＦＩＤインレット
２４  アンテナ
２５  導波用アンテナ
２６  受信用アンテナ
２７  反射用アンテナ
【図１】
2008198095.tif 000003
【図２】
2008198095.tif 000004
【図３】
2008198095.tif 000005
【図４】
2008198095.tif 000006
【図５】
2008198095.tif 000007
【図６】
2008198095.tif 000008
【図７】
2008198095.tif 000009
【図８】
2008198095.tif 000010